(57)【特許請求の範囲】
【請求項１】
集合住宅の床にアンカープレートを介して立設した鋼製支柱を門柱の中空部に挿通し、その門柱に設けた孔からねじを前記支柱にねじ込んで前記門柱を前記支柱に固定し、その門柱に門扉のヒンジを取り付ける取付け構造を有する集合住宅用門扉において、
前記支柱を各壁の幅が等しいＣ型鋼又は角筒型とし、
前記支柱の少なくとも３面の壁にねじ孔を、上側には上下３段に、下側には上下２段に、上側及び下側においてそれぞれ上下方向に隣接するねじ孔の間隔が全て等しくなるように設け、
前記門柱には、その正面壁に上下一組の第１ねじ貫通孔を前記支柱の上側最上段のねじ孔と下側上段のねじ孔との間隔と等しい間隔をもって設けるとともに、前記門柱の側面壁に上下一組の第２ねじ貫通孔を前記支柱の上下方向に隣接するねじ孔の間隔と等しい間隔をもって設けてなり、
前記支柱の各壁の上側最上段のねじ孔と下側上段のねじ孔又は前記支柱の各壁の上側中段のねじ孔と下側下段のねじ孔は、前記門柱の第１ねじ貫通孔から門柱固定用ねじをねじ込むために用いられ、
前記支柱の各壁の上側最上段のねじ孔と上側中段のねじ孔又は前記支柱の各壁の上側中段のねじ孔と上側下段のねじ孔は、前記門柱の第２ねじ貫通孔からヒンジ取付用ねじをねじ込むために用いられること、
を特徴とする集合住宅用門扉。
【発明の詳細な説明】
【０００１】
【発明の属する技術分野】
本発明は、集合住宅用門扉、とくにコンクリート床に対する門柱の取付け構造の改良に関する。
【０００２】
【従来の技術】
近年、集合住宅の上層階の戸別の玄関に通じるポーチに、防犯及び装飾の目的で門扉を設置する要望が増えている。
１戸建て住宅における門扉の門柱は、地面に設けた穴の中に門柱のアンカーバーを貫通した下端部又はアンカプレートを固着した下端部を埋め込んで立設され、その門柱にヒンジを介して門扉を開閉自在に吊持している。門柱の地面に埋設される深さは、十分に大きく取ることができるので、門柱による門扉支持強度に問題が生じることはない。
【０００３】
しかし、集合住宅においては、門柱が建物のコンクリート床などに立設されるが、床の厚さにより又は門柱の立設位置によっては床の埋設物の存在により、床に門柱の下端部を埋設するための穴を形成できない場合と、できる場合とがあり、穴が形成できる場合でも、十分な深さを確保できない場合が多い。
【０００４】
従って、いずれの場合も、集合住宅用門扉を設置する時は、図９及び図１０に例示するように、床Ｆに固定されるアンカープレート１に支柱２を立設し、その支柱２を門柱３の中空部に挿入して、門柱３の外側からねじ４を貫通し、支柱２のねじ孔にねじ込むことにより、門柱を取付けている。
図９は従来技術による門柱の露出納まりの取付け構造を示す要部の斜視図、図１０は従来技術による門柱の埋め込み納まりの取付け構造を示す要部の斜視図である。
【０００５】
そして、床に穴を設けることができない場合は、図９に示すように、支柱２を予め固着したアンカープレート１に設けてある孔に、床Ｆに植設した鬼ボルト５を貫通させて、そのアンカープレート１を床Ｆの上面に当接し、その鬼ボルトにナット６を締め付けて支柱２を立設し、その支柱２を門柱３の中空部に挿通して、ねじ４により門柱３を支柱２に固定している。このような取付け構造は露出納まりと称されている。
【０００６】
これに対して、床に穴を設けることができる場合は、図１０に示すように、床Ｆに所要深さの穴７を設け、支柱２を予め固着したアンカープレート１に設けてある孔に、穴７の底面に植設した鬼ボルト５を貫通させて、そのアンカープレート１を穴７の底面に当接し、その鬼ボルトにナット６を締め付けて支柱２を立設し、その穴７にモルタル８をその上面が床面と同一になるように充填して硬化させた後、その支柱２を門柱３の中空部に挿通して、ねじ４により門柱３を支柱２に固定している。このような取付け構造は埋め込み納まりと称されている。
床に植設した鬼ボルトにナットを締め付けることに代えて、アンカープレート１に設けてある孔に挿通したボルトを床Ｆの小孔に植設したボルト受けにねじ込むようにしたものも知られている。
【０００７】
【発明が解決しようとする課題】
しかしながら、同一の門扉を設置する場合は、露出納まりと埋め込み納まりのいずれの場合にも、門柱の床面からの高さは同一であることが、ヒンジの門柱に対する取付位置を常に一定不変にすることができる点から要求される。その要求に応えるため、露出納まりと埋め込み納まりのいずれの場合にも門柱の下端部を床面とほぼ同一にすると、門柱の支柱に対する相対的位置関係は、露出納まりか埋め込み納まりかによって異ならざるを得ない。
【０００８】
そのため、上記従来技術においては、露出納まりと埋め込み納まりのいずれであるかにより、門柱３のねじ４を貫通するための孔を設ける位置を変える必要があった。門柱３にねじ貫通孔を設ける位置を変えない場合は、支柱２にねじ孔を設ける位置を変える必要があった。従って、門柱又は支柱に対する加工位置の確認と加工に手間が掛かるばかりでなく、露出納まり用か埋め込み納まり用かを識別して管理する必要があるので、管理手間もかかるという問題があった。
【０００９】
また、従来の集合住宅用門扉においては、門柱の埋め込み深さが大きい戸建て住宅用門扉の場合と同様に、門扉ヒンジが門柱３にのみねじ止めされていたため、門柱の門扉支持強度が不十分になる恐れがあるので、その補強のため、支柱には、その長さ（高さ）が門柱の長さの半分から三分の二にも達するものが使用されていた。そのため、支柱が門扉の価格上昇の原因になっていた。
【００１０】
本発明は、上記の点に鑑みてなされたものであり、解決しようとする課題は、露出納まりと埋め込み納まりのいずれの場合も、支柱と門柱に対する加工位置の変更を必要とせずに門柱の立設が容易にでき、しかも門柱の床面に対する取付け高さを常に同一にすることができ、かつ、縦置き納まりと横置き納まりのいずれにも用いることができる集合住宅用門扉を提供することにある。
【００１１】
【課題を解決するための手段】
上記課題を解決するため、本発明は、集合住宅の床にアンカープレートを介して立設した鋼製支柱を門柱の中空部に挿通し、その門柱に設けた孔からねじを前記支柱にねじ込んで前記門柱を前記支柱に固定し、その門柱に門扉のヒンジを取り付ける取付け構造を有する集合住宅用門扉において、（ａ）支柱を各壁の幅が等しいＣ型鋼又は角筒型とし、（ｂ）支柱の少なくとも３面の壁にねじ孔を、上側には上下３段に、下側には上下２段に、上側及び下側においてそれぞれ上下方向に隣接するねじ孔の間隔が全て等しくなるように設け、（ｃ）門柱には、その正面壁に上下一組の第１ねじ貫通孔を支柱の上側最上段のねじ孔と下側上段のねじ孔との間隔と等しい間隔をもって設けるとともに、門柱の側面壁に上下一組の第２ねじ貫通孔を前記支柱の上下方向に隣接するねじ孔の間隔と等しい間隔をもって設けてなり、（ｄ）支柱の各壁の上側最上段のねじ孔と下側上段のねじ孔又は支柱の各壁の上側中段のねじ孔と下側下段のねじ孔は、門柱の第１ねじ貫通孔から門柱固定用ねじをねじ込むために用いられ、（ｅ）支柱の各壁の上側最上段のねじ孔と上側中段のねじ孔又は支柱の各壁の上側中段のねじ孔と上側下段のねじ孔は、門柱の第２ねじ貫通孔からヒンジ取付用ねじをねじ込むために用いられることを特徴としている。
【００１２】
上記構成により、門扉を埋め込み納まりで設置する場合は、門柱の第１ねじ貫通孔から門柱固定用ねじを支柱の一つの壁の上側最上段のねじ孔と下側上段のねじ孔にねじ込み、門柱の第２ねじ貫通孔からヒンジ取付用ねじを支柱の他の壁の上側最上段のねじ孔と上側中段のねじ孔にねじ込めばよい。また、門扉を露出納まりで設置する場合は、門柱の第１ねじ貫通孔から門柱固定用ねじを支柱の一つの壁の上側中段のねじ孔と下側下段のねじ孔に門柱固定用ねじ孔にねじ込み、門柱の第２ねじ貫通孔からヒンジ取付用ねじを支柱の他の壁の上側中段のねじ孔と上側下段のねじ孔にねじ込めばよい。
支柱の左右に隣接する壁のいずれのねじ孔にヒンジ取付け用ねじをねじ込むかは、門柱が支柱に対して左右いずれの側に立設されるかにより選択される。
【００１３】
支柱の各壁に設けられる上側３段のねじ孔と下側の２段のねじ孔は、いずれも配設パターンが同一であるので、同一の支柱を、設置される門扉に対する支柱の向きを縦置き納まりと横置き納まりのいずれにも使用することができる。
【００１４】
【発明の実施の形態】
次に、本発明の実施の形態について図面を参照しながら説明する。
図１は本発明による門柱取付け構造を採用した露出納まりの門扉の要部断面正面図であり、図２は同じく埋め込み納まりの門扉の要部断面正面図である。
本発明においては、同一の支柱２と同一の門柱３を用いて、図１に示すように露出納まりで門柱を立設することも、図２に示すように埋め込み納まりで門柱を立設することもできる。
図３は、このような門柱の立設を可能にするために用いられる支柱の斜視図、図４は本発明による門柱取付け構造の原理説明図である。
以下には、図９及び図１０の従来技術の構成部材と同一又は相当の構成部材には同一の符号を用いる。
【００１５】
本発明においては、第一の重要な構成要件として、図３に示すように、アンカプレート１に立設される支柱２は、各壁の幅が等しいＣ型鋼又は角筒型鋼で形成され、各壁に門柱を支柱に固定するねじをねじ込むための一組のねじ孔及びヒンジを支柱に固定するねじをねじ込むための一組のねじ孔が、露出納まり用と埋め込み納まり用に少なくとも上下２段設けてある。
【００１６】
図３のＣ型鋼を用いる支柱２の例では、中央の壁２ｆの上側部分にはその壁の中心線に対して対称の位置に２個ずつのねじ孔ＵＨ１１，ＵＨ１２，ＵＨ１３が上下に等間隔をもって３段に設けられ、かつ、下側部分には壁の中心線上に１個ずつのねじ孔ＬＨ１１，ＬＨ１２が上側のねじ孔の上下間隔と等しい間隔をもって上下２段に設けられている。そして、上側のねじ孔のうち上段のねじ孔ＵＨ１１と下側のねじ孔のうち上段のねじ孔ＬＨ１１とで、埋め込み納まり用の一組の門柱固定用ねじ孔が構成され、上側のねじ孔のうち中段のねじ孔ＵＨ１２と下側のねじ孔のうち下段のねじ孔ＬＨ１２とで、露出納まり用のもう一組の門柱固定用ねじ孔が構成されている。
【００１７】
図示の好ましい実施の形態においては、上側の下段のねじ孔ＵＨ１３は、その上側のねじ孔ＵＨ１１，ＵＨ１２とともにヒンジ取付けに用いるために付加されたものである。すなわち、この場合は、上段のねじ孔ＵＨ１１と中段のねじ孔ＵＨ１２が、埋め込み納まり用の一組のヒンジ取付け用ねじ孔となり、中段のねじ孔ＵＨ１２と下段のねじ孔ＵＨ１３が、露出納まり用のもう一組のヒンジ取付け用ねじ孔となる。
【００１８】
また、図示の好ましい実施の形態においては、支柱の左右の壁２ｓ1 ，２ｓ2 にも、中央のねじ孔ＵＨ１１〜ＵＨ１３，ＬＨ１１，ＬＨ１２と同一の配置パターンをもってねじ孔ＵＨ１１〜ＵＨ１３，ＬＨ１１，ＬＨ１２が設けられている。図３には左の壁２ｓ2 のねじ孔は見えていない。
【００１９】
本発明の第二の重要な構成要件として、図４に示すように、門柱３には、その門柱の下部の上側部分に前記支柱の下段の一組の門柱固定用ねじ孔ＵＨ１２，ＬＨ１２に対応する門柱固定用ねじ貫通孔ＵＨ２１，ＬＨ２１が設けられている。すなわち、上側のねじ貫通孔ＵＨ２１は、支柱の上側の中段の門柱固定用ねじ孔ＵＨ１２と等しい水平間隔をもって形成され、門柱３の下端部から下側のねじ孔ＬＨ２１までの距離は、支柱２の下端部から下側の下段のねじ孔ＬＨ１２までの距離と等しくされ、上下のねじ貫通孔ＵＨ２１，ＬＨ２１間の距離は支柱２の下段の一組のねじ孔ＵＨ１２，ＬＨ１２間距離と等しくされている。
【００２０】
さらに、本発明の好ましい実施の形態においては、第三の重要な構成要件として、図４に示すように、門柱３の支柱に対する取付けのためのねじ貫通孔ＵＨ２１，ＬＨ２１が設けられている面と異なる面、通常はその隣の面にヒンジ固定用ねじを貫通する孔Ｈ３１，Ｈ３２が設けられている。このねじ貫通孔のうち、上側の孔Ｈ３１は門柱の上側のねじ貫通孔ＵＨ２１と等しい高さに設けてあり、上側の孔Ｈ３１から下側の孔Ｈ３２までの距離は、支柱の上段の孔と下段の孔、例えばＵＨ１１とＵＨ１２の間の距離と等しくされている。
図４において、ＦＬ１は露出納まりの場合の床面であり、ＦＬ２は埋め込み納まりの場合の床面である。
【００２１】
上記の構成により、集合住宅のポーチの床に露出納まりの門扉を設置する場合は、図１及び図５に示すように、アンカープレート１を床Ｆの上面に当接した状態でボルト５を床に設けてあるボルト受け５ａにねじ込むことにより支柱２が床に立設され、その支柱２を門柱３の中空部に挿入して、その門柱の下端面をアンカープレート１の上面に当接する。  この時の支柱２の各ねじ孔ＵＨ１１，ＵＨ１２，ＵＨ１３，ＬＨ１１，ＨＬ１２と門柱３のねじ貫通孔ＵＨ２１，ＬＨ２１，Ｈ３１，Ｈ３２との位置関係は、図４の（ａ）と（ｂ）に示す状態になり、ねじ貫通孔ＵＨ２１，ＬＨ２１はそれぞれ支柱２の一つの壁のねじ孔ＵＨ１２，ＬＨ１２と合致する。また、門柱のねじ貫通孔Ｈ３１，Ｈ３２は支柱の他の壁の下側のねじ孔ＵＨ１２，ＵＨ１３と合致する。従って、門柱のねじ貫通孔ＵＨ２１，ＬＨ２１からそれぞれ門柱固定用ねじＳ１を支柱の一つの壁のねじ孔ＵＨ１２，ＬＨ１２にねじ込むことにより、図５に示すように門柱３を露出納まりで取付けることができる。
【００２２】
また、図５の門柱３に門扉Ｇを吊持するための上下のヒンジ９Ｕ，９Ｌのうち、下側のヒンジ９Ｌの肘壺９１を門柱３に固定するためのねじＳ２は、その肘壺９１に貫通した後、門柱のねじ貫通孔Ｈ３１，Ｈ３２に貫通し、さらに、支柱２の他の壁のねじ孔ＵＨ１２，ＵＨ１３にねじ込むことにより、図１及び図５に示すように、そのヒンジ９Ｌ（の肘壺９１）を門柱３と支柱２にしっかり固定することができると同時に、門柱３と支柱２とを強固に接続することができる。
なお、上側のヒンジ９Ｕ（の肘壺９１）は、従来と同様に、門柱３のみに他のねじＳ２により固定される。こうして、上下のねじＳ２により固定された肘壺９１に門扉Ｇに固定してある肘ピン９２を回動自在に嵌入することにより、門扉Ｇの取付け施工が完了する。
【００２３】
以上に対して、上記と同一の構成を有する門扉を埋め込み納まりで取付ける場合は、図６に示すように、床Ｆに設けられた所定の深さを有する穴７の底面に支柱２が接合されたアンカープレート１を当接し、ボルト５及びボルト受け５ａによりアンカープレート１を固定したのち、その穴７にモルタル８を充填して、その上面を床面ＦＬと同じくした状態で硬化させる点は、従来と異ならない。この場合、穴７の所定の深さは、支柱２の上側部分の上下に隣接するねじ孔の間の距離、例えばＵＨ１１，ＵＨ１２間距離と等しい。
【００２４】
次に、その立設された支柱２を門柱３の中空部に挿通し、その門柱の下端面をモルタル８の上面に当接させる。この時の、支柱の各ねじ孔ＵＨ１１，ＵＨ１２，ＵＨ１３，ＬＨ１１，ＨＬ１２と門柱３のねじ貫通孔ＵＨ２１，ＬＨ２１，Ｈ３１，Ｈ３２との位置関係は、図４の（ａ）と（ｃ）に示す状態になり、門柱３の上側のねじ貫通孔ＵＨ２１は支柱の一つの壁の上側の上段のねじ孔ＵＨ１１と合致し、門柱の下側のねじ貫通孔ＬＨ２１は支柱の下側の上段のねじ孔ＬＨ１１と合致する。従って、門柱の各ねじ貫通孔ＵＨ２１，ＬＨ２１からねじＳ１を貫通し、支柱２にねじ込むことにより、図６に示すように、門柱３を支柱２にしっかり固定することができる。
【００２５】
また、この時、門柱３のねじ貫通孔Ｈ３１，Ｈ３２は支柱３の他の壁の上側２段のねじ孔ＵＨ１１，ＵＨ１２と合致するので、下側のヒンジ９Ｌの肘壺９１に貫通したねじＳ２をそのねじ貫通孔Ｈ３１，Ｈ３２に貫通し、さらに支柱２のねじ孔ＵＨ１１，ＵＨ１２にねじ込むことにより、下側のヒンジ９Ｌの肘壺９１をしっかり取付けることができるとともに、門柱３と支柱２とを強固に接続することができる。
上側のヒンジ９Ｕの取付け及びヒンジに対する門扉の吊持方法は、上述の場合と同様である。
【００２６】
上記の実施の形態において、支柱２はＣ型鋼又は角筒型鋼で作られ、少なくとも３つの壁にねじ孔ＵＨ１１，ＵＨ１２，ＵＨ１３，ＬＨ１１，ＨＬ１２が同一配設パターンで形成されているので、同一構造の２本の支柱を門扉通路の左右両側に、図７に示すようなアンカープレート１の長手方向が閉鎖状態の門扉の面に対して平行な横置き納まりと、図８に示すようなアンカープレート１の長手方向が閉鎖状態の門扉の面に対して直角な縦置き納まりのいずれの納まり状態にも設置することができる。
【００２７】
本発明は、支柱の各壁にねじ孔を上記のように同一配設パターンで設けることに代えて、他の実施の形態として、一つの壁には門柱固定用ねじ孔ＵＨ１１，ＵＨ１２，ＵＨ１３，ＬＨ１１，ＨＬ１２を、その壁の左右に隣接する壁にヒンジ固定用ねじ孔ＵＨ１１，ＵＨ１２，ＵＨ１３のみを設けるようにしても良い。
また、図示の例では、支柱に２組のねじ孔を上下２段に設けたが、集合住宅の床に形成される穴の可能な深さに応じて、３組以上のねじ孔を上下に設けても良い。さらに、上側のねじ孔及び下側のねじ孔の数は任意である。なお、アンカープレート１を固定する方法は、上記のボルト５とボルト受け５ａを用いるものに限らない。既知の他の技術を用いることもできる。
【００２８】
【発明の効果】
上述のように、本発明によれば、各壁の幅が等しいＣ型鋼又は角筒型鋼製の支柱の少なくとも３面の壁にねじ孔を、上側には上下３段に、下側には上下２段に、上側及び下側においてそれぞれ上下方向に隣接するねじ孔の間隔が全て等しくなるように設け、門柱には、その正面壁に上下一組の第１ねじ貫通孔を支柱の上側最上段のねじ孔と下側上段のねじ孔との間隔と等しい間隔をもって設けるとともに、門柱の側面壁に上下一組の第２ねじ貫通孔を前記支柱の上下方向に隣接するねじ孔の間隔と等しい間隔をもって設けてなり、支柱の各壁の上側最上段のねじ孔と下側上段のねじ孔又は支柱の各壁の上側中段のねじ孔と下側下段のねじ孔は、門柱の第１ねじ貫通孔から門柱固定用ねじをねじ込むために用いられ、支柱の各壁の上側最上段のねじ孔と上側中段のねじ孔又は支柱の各壁の上側中段のねじ孔と上側下段のねじ孔は、門柱の第２ねじ貫通孔からヒンジ取付用ねじをねじ込むために用いられるように構成したので、第１に、支柱と門柱に対する加工位置の変更を必要とせずに門柱の立設が容易にでき、しかも門柱の床面に対する取付け高さを常に同一にすることができ、第２に、同一構成の支柱及び門柱を用いて、門扉を埋め込み納まりと露出納まりのいずれにも設置することができる。
【００２９】
支柱の少なくとも３面に３段のねじ孔を設けてあるので、埋め込み納まりと露出納まり、縦置き納まりと横置き納まりのいずれの組合せにおいても、ヒンジの取付が可能である。
【００３０】
また、支柱は各壁の幅が等しいＣ型鋼又は角筒型であり、少なくても３面のねじ孔配設パターンが同一であるので、同一構造の支柱を門扉通路の左右両側に接して用いることができ、かつ、縦置き納まりと横置き納まりのいずれにも用いることができ、さらに、加工性に優れる。
【図面の簡単な説明】
【図１】  本発明による門柱取付け構造を採用した露出納まりの門扉の要部断面正面図。
【図２】  同じく埋め込み納まりの門扉の要部断面正面図。
【図３】  支柱の一例を示す斜視図。
【図４】  本発明による門柱取付け構造の原理説明図。
【図５】  図１のＡ１−Ａ１線に沿った断面図。
【図６】  図２のＡ２−Ａ２線に沿った断面図。
【図７】  図１のＢ１−Ｂ１線に沿った断面図。
【図８】  図２のＢ２−Ｂ２線に沿った断面図。
【図９】  従来技術による門柱の露出納まりの取付け構造を示す要部の斜視図。
【図１０】  従来技術による門柱の埋め込み納まりの取付け構造を示す要部の斜視図。
【符号の説明】
ＦＬ    コンクリート床
１      アンカープレート
２      支柱
ＵＨ１１，ＵＨ１２，ＵＨ１３，ＬＨ１１，ＨＬ１２    ねじ孔
３      門柱
ＵＨ２１，ＬＨ２１，Ｈ３１，Ｈ３２      ねじ貫通孔
Ｓ１，Ｓ２      ねじ
５      ボルト
７      床の孔
８      モルタル
９Ｕ，９Ｌ      ヒンジ
９１    肘壺
９２    肘ピン
Ｇ      門扉
【図１】
0004005344.tif 000002
【図２】
0004005344.tif 000003
【図３】
0004005344.tif 000004
【図４】
0004005344.tif 000005
【図５】
0004005344.tif 000006
【図６】
0004005344.tif 000007
【図７】
0004005344.tif 000008
【図８】
0004005344.tif 000009
【図９】
0004005344.tif 000010
【図１０】
0004005344.tif 000011